(57)【要約】【課題】緊急遮断弁による上流部の圧力のリーク時にリーク水の飛出しをより確実に防止することのできる浄水機能付水栓を提供する。【解決手段】水道水から成る原水を浄化し浄水とする浄化カートリッジ４２の上流部に流路を緊急遮断する緊急遮断弁５１を内蔵しており、その緊急遮断弁５１は、弁孔を挿通する弁軸５９と、弁軸５９の上流側の端部に設けられた弁体５５を有しているとともに、弁体５５には弁座６５への着座時に圧力リーク用の隙間を弁座６５との間に形成する切欠部７１が形成され、また弁軸５９の弁体５５とは反対側の端部にはリーク水の飛出し防止用の円板状の邪魔板６１が設けてある浄水機能付水栓において、邪魔板６１の外周部より径方向外方に突出する形態の突出部１０４を周方向に沿って複数設けておく。【選択図】        図７
2006214131.tif 000002
【特許請求の範囲】
【請求項１】
水道水から成る原水を浄化し浄水とする浄化カートリッジの上流部に流路を緊急遮断する緊急遮断弁を内蔵しており、該緊急遮断弁は弁孔を挿通する弁軸と、該弁軸の上流側の端部に設けられた弁体を有しているとともに、該弁体には弁座への着座時に圧力リーク用の隙間を該弁座との間に形成する切欠部が形成され、また該弁軸の該弁体とは反対側の端部にはリーク水の飛出し防止用の円板状の邪魔板が設けてある浄水機能付水栓において
前記邪魔板の外周部より径方向外方に突出する形態の突出部が周方向に沿って複数設けてあることを特徴とする浄水機能付水栓。
【発明の詳細な説明】
【技術分野】
【０００１】
この発明は水道水から成る原水を浄水カートリッジに通して浄水とし、吐水口から吐水する浄水機能付水栓に関する。
【背景技術】
【０００２】
水道水中には微細な砂，赤錆等濁りの元となる成分や殺菌用の塩素に起因するカルキ臭とか黴臭とかの臭いの元となる成分が含まれている。
そこで従来、水道水（原水）を内部に導き入れてこれを浄化するための浄化カートリッジに通し、浄水とした上で浄水吐水口から吐水する機能を有する浄水装置を水栓とは別体の単体のユニットとして構成し、これを水栓の蛇口、即ち吐水管の先端部に後付けで取り付けるといったことが行われている。
しかしながらこの単体且つ後付式の浄水装置の場合、これを水栓の吐水管の先端部に装着すると吐水管の先端部が不自然に大型化してしまって美観が損なわれてしまうといった問題がある。
【０００３】
一方、図９に示しているように水栓２００とは独立に構成された浄水装置２０２をキッチン等のキャビネット内部に設置し、水栓２００からの水道水をこの浄水装置２０２に導いてここで浄化し、浄水とした上で再び水栓２００に戻して吐水管２０４の先端部（蛇口）から吐水するといったことも行われている。
【０００４】
この種形式の浄水装置２０２はビルトインタイプと称されているが、この浄水装置２０２を用いた場合、水栓２００特に吐水管２０４の先端部の形状は通常の水栓と全く変らず、従って外部に現れる部分について美観を良好に保持することができる。
【０００５】
一方でこの種形式の浄水装置２０２の場合、これをキャビネット内に設置するとキャビネット内部が煩雑化し、また浄水装置２０２の設置によってキャビネット内部の収納空間が狭められてしまうといった問題が生ずる。
近年キャビネット内の収納空間をできるだけ広く使おうとする傾向があり、このような中にあってこの種ビルトインタイプの浄水装置２０２を設置することが困難な場合も生じている。
【０００６】
他方キッチン等のカウンター上に通常の水栓と併せて浄水専用の水栓を設置するといったことも行われている。
しかしながらこの場合通常の水栓と浄水専用の水栓との２つの水栓が必要となり、カウンター上のスペースがそれら水栓にて広く占有されてしまうとともにコストも高くなるといった問題がある。
【０００７】
このようなことから、本発明者等はこの種の浄水機能即ち水道水からなる原水を浄化する機構を水栓に内蔵させたものを案出した。
図１０はその一例を示している。
同図に示ししているようにここでは可撓性のホース２０６とともに引出可能な水栓の吐水ヘッド２０８の内部にカートリッジ収容空間Ｋを設けてそこに浄化カートリッジ２１０を収容し、その内側に浄水通路２１２を、また外周側に原水通路２１４を形成し、そして浄化カートリッジ２１０の下流部に設けた切替弁を操作部２１５の操作により作動させ、原水ストレート吐水口２１６からの原水ストレート吐水，原水シャワー吐水口２１８からの原水シャワー吐水及び浄水ストレート吐水口２２０からの浄水ストレート吐水を切り替えるようになしている。
【０００８】
このように水道水を浄化するための機構を水栓に内蔵しておいた場合、水栓の外観をすっきりとしたものとなしてその外観，美観を良好に保持しつつキャビネット内の収納空間を広く確保することが可能となる。
【０００９】
ところで、浄化カートリッジ２１０は使用を続けるうちにその機能が低下して来るため、これを一定期間ごとに交換する必要が生ずる。
このためここでは吐水ヘッド２０８を吐水ヘッド本体２２２と頭部２２４とに分離可能とし、その頭部２２４を吐水ヘッド本体２２２から取り外し、分離することで浄化カートリッジ２１０の交換を可能としている。
【００１０】
ところでこの浄化カートリッジ２１０内蔵の水栓の場合、浄化カートリッジ２１０の交換を誤って水栓の主弁を開いたまま行ってしまったとき、或いは水栓の主弁を閉じた状態で浄化カートリッジ２１０の交換を行っても、その交換作業の際に誤って主弁操作用のハンドルに手が触れてこれを開操作してしまったとき、湯水が使用者に向って勢い良く飛び出して来る恐れがある。
【００１１】
そこで本発明者等は、カートリッジ収容空間Ｋの軸方向に且つ上流部に、カートリッジ組付状態で開弁状態を維持し、浄化カートリッジが組付位置から外れたときに閉弁して流路を遮断する緊急遮断弁を内蔵させたものを案出した（下記特許文献１に開示）。
【００１２】
このようにすれば、誤って水栓の主弁を開いたまま浄化カートリッジの交換を行ってしまったとしても、或いはまた浄化カートリッジ交換作業の際に誤って主弁操作用のハンドルに手が触れてこれを開操作してしまっても、浄化カートリッジが組付位置から外れるのと同時に緊急遮断弁が閉弁して流路を遮断するため、使用者に向って湯水が飛び出して来てしまうといったことを防止することができる。
【００１３】
ところで、このように水栓における主弁よりも下流部に流路を開閉する緊急遮断弁を設けた場合、水栓における主弁が開いた状態で緊急遮断弁が完全に閉鎖した状態にあると、その緊急遮断弁に至るまでの部分に対して給水圧（１次圧）がそのまま作用することとなる。従ってその場合には緊急遮断弁に至るまでの部分を給水圧に耐え得る耐圧構造としておかなければならなくなる。
【００１４】
そこでこの特許文献１に開示のものでは、緊急遮断弁を弁孔を挿通する弁軸と、その弁軸の上流側の端部の弁体とを有する構成として、その弁体に弁座への着座時に上流部の圧力リーク用の隙間を弁座との間に形成する切欠部を形成し、また弁軸の弁体とは反対側の端部にリーク水の飛出し防止用の円板状の邪魔板を設けている。
【００１５】
ところでこの緊急遮断弁において、邪魔板を過度に大径化すると流路幅が制限されてしまい、従ってその大径化には自ずと制約がある。
そのためこのような邪魔板の存在にも拘わらず、上流部の圧力のリーク時にリーク水の一部が邪魔板を越えて勢いよく飛び出すことが危惧される。
特に弁軸,弁体及び邪魔板が一体に傾いてしまったような場合にこうしたことが起こる可能性がある。
【００１６】
【特許文献１】特開２００２−３５６８９１号公報
【発明の開示】
【発明が解決しようとする課題】
【００１７】
本発明は以上のような事情を背景とし、緊急遮断弁での上流部の圧力のリーク時に、リーク水の飛出しをより確実に防止することのできる浄水機能付水栓を提供することを目的としてなされたものである。
【課題を解決するための手段】
【００１８】
而して請求項１のものは、水道水から成る原水を浄化し浄水とする浄化カートリッジの上流部に流路を緊急遮断する緊急遮断弁を内蔵しており、該緊急遮断弁は弁孔を挿通する弁軸と、該弁軸の上流側の端部に設けられた弁体を有しているとともに、該弁体には弁座への着座時に圧力リーク用の隙間を該弁座との間に形成する切欠部が形成され、また該弁軸の該弁体とは反対側の端部にはリーク水の飛出し防止用の円板状の邪魔板が設けてある浄水機能付水栓において、前記邪魔板の外周部より径方向外方に突出する形態の突出部が周方向に沿って複数設けてあることを特徴とする。
【発明の作用・効果】
【００１９】
以上のように本発明は、緊急遮断弁の弁体に上流部の圧力リーク用の切欠部を設けて成る浄水機能付水栓において、緊急遮断弁における邪魔板の外周部より径方向外方に突出する形態の突出部を周方向に沿って複数設けたもので、本発明によれば、邪魔板の過度の大径化による流路幅の縮小を回避しつつ、邪魔板の外周部より径方向外方に突出する突出部によってリーク水の飛出しをより確実に防止できるようになる。
【００２０】
例えば邪魔板が弁軸及び弁体とともに軸方向に対し傾いたような場合であっても、リーク水が邪魔板の外周側の流路を通って通過する際、その流路に突き出す形態で存在している突出部にリーク水が当ることによって、或いはリーク水がその突出部を回り込むような形で流れることによってリーク水の流れがかかる突出部の存在によって乱され、その結果リーク水の勢いが邪魔板及び突出部の位置において殺されることとなって、リーク水が勢いよく軸方向下流側に飛び出すのを有効に防止できるようになる。
【発明を実施するための最良の形態】
【００２１】
次に本発明の実施形態を図面に基づいて詳しく説明する。
図１において、１はキッチンに設置されたキャビネットで、２はシンク、３はカウンターで、このカウンター３上にシングルレバー式の混合水栓（以下単に水栓とする）１０が起立状態で設置されている。
同図において４は水栓１０に対し水,湯を供給するためのサプライ管であって、下端部が止水栓５を介して元配管に接続され、また上端部が水栓１０における水栓本体１２にそれぞれ接続されている。
この水栓本体１２からは下向きに接続管６が延び出しており、その接続管６に対して可撓性のホース２２の端部が接続されている。
【００２２】
水栓１０は、水栓本体１２の上部にシングルレバー式のハンドル１４を備えており、更にまた水栓本体１２からシンク２の上方に向って吐水管１６が延び出している。
水栓本体１２の内部には、図３に示しているように吐止水と吐水の水量調節及び温度調節を行う主弁７が内蔵されており、その主弁７に対し上記ハンドル１４が作動的に連結されている。
この水栓１０では、ハンドル１４を左右に回動操作することで吐水の温度調節が行われ、また上下に回動操作することで吐止水及び吐水の水量調節が行われる。
【００２３】
吐水管１６は、水栓本体１２に固定の吐水管基部１８と、上記ホース２２の端部が接続固定されてそのホース２２とともに引出可能な吐水ヘッド２０とを有している。
この吐水ヘッド２０の先端部には、後に詳述する原水ストレート吐水，原水シャワー吐水及び浄水ストレート吐水を切替操作するためのレバー式且つ回転式の切替操作部２４（図２参照）が外部に突き出す状態で設けられている。
【００２４】
図４にも示しているように、吐水ヘッド２０は吐水ヘッド本体（グリップ部）２６とその先端側の頭部２８とを有している。
ここで頭部２８は吐水ヘッド本体２６と別体とされていて、吐水ヘッド本体２６に対し脱着可能とされている。
本例ではこの頭部２８の脱着によって、その内部に収容されている後述の浄化カートリッジ４２が交換可能とされている。
吐水ヘッド本体２６には、その基端部に上記ホース２２がシール部材３０によるシールの下に水密に接続固定されている。
【００２５】
ここでホース２２は、図４及び図５にも示しているように吐水管基部１８の先端部に取付固定された筒状をなすホースガイド３１の中心部のホース挿通孔３２に軸方向に摺動可能に挿通されている。
このホースガイド３１はまた、吐水ヘッド２０をここに差し込むことでこれを保持する機能も有している。
これらホースガイド３１及び吐水管基部１８には、ホース２２とホースガイド３１との間の隙間から浸入して来た水を外部に排出するための水抜孔３３及び３５がそれぞれ形成されている。
【００２６】
吐水ヘッド本体２６は、筒状をなす化粧カバー（外筒）３８と内筒４０との二重筒構造をなしており、その内側にカートリッジ収容空間Ｋを有していて、そこに浄化カートリッジ４２が収容されている。
ここで浄化カートリッジ４２は、原水（水道水）を半径方向に通過させることによってこれを浄化する。
【００２７】
図６において、１０２は浄化カートリッジ４２の主体をなす円筒形状の浄化機能部で、中心部の円筒形状の多孔質のセラミックフィルタ４４を有しており、これを支持体としてその外面に珪藻土４６の層が、更にその外面に活性炭４８の層が積層形成され、その外周面に不織布５０が巻き付けられている。
【００２８】
この浄化カートリッジ４２は、前後端に非通水性のエンドキャップ５２，５４を有している。
これらエンドキャップ５２，５４はそれぞれ透光性の部材にて構成されており、これらエンドキャップ５２，５４を通じて浄化カートリッジ４２の端面、具体的にはセラミックフィルタ４４，珪藻土４６の層，活性炭４８の層，不織布５０の層の端面を外部から目視観察できるようになっている。
即ちこれらエンドキャップ５２，５４を通じて浄化カートリッジ４２の各層の汚れ具合を目視観察できるようになっている。
【００２９】
図４，図５及び図７に示しているように、浄化カートリッジ４２における浄化機能部１０２の外周面と内筒４０の内周面との間、即ちカートリッジ収容空間Ｋの内周面との間には環状の隙間が形成されており、その環状の隙間によって原水通路５８Ａが形成されている。
また浄化カートリッジ４２の中心部、詳しくは浄化機能部１０２の中心部には浄水通路６０Ａが形成されている。
【００３０】
図３〜図５に示しているように、吐水ヘッド２０の基端部、即ちカートリッジ収容空間Ｋの軸方向且つ流路の上流側には緊急遮断弁５１が設けられている。詳しくは吐水ヘッド２０の基端部且つホース２２の接続固定部において緊急遮断弁５１が設けられている。
【００３１】
ここで緊急遮断弁５１は、浄化カートリッジ４２が組付位置から外れたときに自動的に閉弁して流路を遮断する。この緊急遮断弁５１は筒状をなす弁ケーシング５３と弁体５５とを有している。
弁ケーシング５３は軸方向の一端側（図中左端側）がホース２２に固定されており、また他端側（図中右端側）が固定リング５７によって吐水ヘッド２０に固定されている。
【００３２】
ここで固定リング５７は吐水ヘッド２０における内筒４０に対しねじ結合されている。即ち固定リング５７を内筒４０にねじ込んで行くことで、弁ケーシング５３が吐水ヘッド２０の内筒４０に接続固定される。
【００３３】
この緊急遮断弁５１はまた、弁ケーシング５３の内側において弁孔を挿通する弁軸５９と、その弁軸５９の上流側の端部（図中左端部）に一体に設けられた弁体５５と、これとは反対側の図中右端部、即ち下流側に設けられた円板状の邪魔板６１とを有している。
【００３４】
この邪魔板６１にはスプリング６３の付勢力が図中右向きに作用しており、図５（Ｂ）に示しているように浄化カートリッジ４２を取り外すと、弁体５５はこのスプリング６３の付勢力に基づいて弁ケーシング５３の弁座６５に着座し、緊急遮断弁５１が閉弁する。
即ち弁座６５への弁体５５の着座によって流路を遮断する。
但し通常時は図５（Ａ）に示しているように浄化カートリッジ４２が弁体５５をスプリング６３の付勢力に抗して図中左向きに押し込んでおり、従って緊急遮断弁５１は浄化カートリッジ４２によって通常時は開弁状態に維持される。
【００３５】
弁体５５、詳しくは弁座６５への当接部には切欠部７１が設けられている。この切欠部７１は、流路における緊急遮断弁５１よりも上流側の圧力を下流側へとリークさせるためのもので、図５（Ｃ）に示しているように弁体５５が弁座６５に着座した状態の下で、切欠部７１によってそれらの間に若干の隙間が形成され、同部分を通じて緊急遮断弁５１よりも上流側の圧力が下流側へとリークする。
緊急遮断弁５１における上記円板状の邪魔板６１は、このときのリーク水を当てて、かかるリーク水が勢いよく図中右方向に飛び出すのを防ぐために設けられている。
【００３６】
上記頭部２８には、図３，図４及び図６に示しているようにその下面に、原水を整流束としてストレート吐水する原水ストレート吐水口６２，原水をシャワー水としてシャワー吐水する原水シャワー吐水口６４及び浄水を整流束としてストレート吐水する浄水ストレート吐水口６６がそれぞれ別々に設けられている。
またそれら各吐水口６２，６４，６６に連通して原水ストレート通路６８，原水シャワー通路７０及び浄水ストレート通路７２がそれぞれ形成されている。
【００３７】
図４及び図６に示すように、上記カートリッジ収容空間Ｋの下流側であって頭部２８の内部には、原水ストレート吐水，原水シャワー吐水及び浄水ストレート吐水を切り替えるための切替弁装置７４が配設されている。
【００３８】
この切替弁装置７４はシリンダ式弁装置であって、弁体７６とこれに水密に外嵌する弁ケーシング７８とを有している。
弁ケーシング７８には外筒部８０と内筒部８２とが一体に形成されていて、その外筒部８０が吐水ヘッド本体２６の端部内側にＯリング１１４を介して水密に嵌合接続されている。
また一方、内筒部８２が浄化カートリッジ４２の軸方向端部に形成された筒状の嵌合凸部１２２の外側にＯリング１１４を介して水密に嵌合接続されている。
【００３９】
この状態において内筒部８２の内側空間は、浄化カートリッジ４２の中心部の浄水通路６０Ａに続く浄水通路６０Ｂを形成しており、また外筒部８０と内筒部８２との間の環状の空間が、原水通路５８Ａに続く原水通路５８Ｂを形成している。
尚原水通路５８Ｂの端部には、原水通路５８Ｂにごみ等の異物が浸入するのを防止するためのリング状のストレーナ１００が装着されている。
【００４０】
本実施形態において、緊急遮断弁５１には図７，図８に示すように上記邪魔板６１の外周部且つ図中左側の面から径方向外方に突出する形態の棒状の突出部１０４が周方向に沿って複数（ここでは９０度毎の４箇所に）設けられている。ここで各棒状の突出部１０４は横断面形状が略半円形状をなしており、図中右側の面が平坦面とされている。
一方浄化カートリッジ４２には、円筒形状の浄化機能部１０２の一方の軸方向端、即ち緊急遮断弁５１側の図中の左端とその緊急遮断弁５１との間の位置において、緊急遮断弁５１から流出した原水を整流する整流機能部１０３が設けられている。
【００４１】
この整流機能部１０３は上記の内筒４０の内周面、即ちカートリッジ収容空間Ｋの内周面に嵌合する大径の円形のリング部１０６を有していて、そのリング部１０６と中心側の小径の円筒部６７との間に水路１０８を形成しており、そしてその水路１０８を径方向に横切る形態で整流板１１０が周方向に沿って所定ピッチで複数設けられている。
ここで各整流板１１０は円筒部６７とリング部１０６とを互いに連結している。
【００４２】
本実施形態において、浄化カートリッジ４２はこのリング部１０６が内筒４０に形成された段付部１１２に当接することによって軸方向位置が規定されている。即ち浄化カートリッジ４２の内筒４０への挿入量が規定されている。
【００４３】
尚円筒部６７は上記の邪魔板６１よりも内径が大径とされており、かかる円筒部６７の軸方向端面（図中左端面）が上記の円板状の邪魔体６１から径方向外方に突出する棒状の突出部１０４に当接して、かかる突出部１０４を介して邪魔板６１、即ち緊急遮断弁５１における弁体５３を、スプリング６３の付勢力に抗して図中左向きに押し込み、緊急遮断弁５１を開弁させるようになっている。
また、整流機能部１０３における上記リング部１０６は、カートリッジ収容空間Ｋの内周面に嵌合することによって、浄化カートリッジ４２を径方向に位置決めする働きもなしている。
【００４４】
以上のような本実施形態によれば、邪魔板６１の過度の大径化による流路幅の縮小を回避しつつ、邪魔板６１の外周部より径方向外方に突出する突出部１０４によって、リーク水の飛出しをより確実に防止することができる。
例えば邪魔板６１が弁軸５９及び弁体５５とともに軸方向に対し傾いたような場合であっても、リーク水が邪魔板６１の外周側の流路を通って通過する際、その流路に突き出す形態で存在している突出部１０４にリーク水が当ることによって、或いはリーク水がその突出部を回り込むような形で流れることによって、リーク水の流れがかかる突出部１０４の存在によって乱され、その結果リーク水の勢いが邪魔板６１及び突出部１０４の位置において殺されることとなって、リーク水が勢いよく軸方向下流側に飛び出すのを有効に防止できるようになる。
【００４５】
以上本発明の実施形態を詳述したがこれはあくまで一例示であり、本発明はその趣旨を逸脱しない範囲において種々変更を加えた形態で構成可能である。
【図面の簡単な説明】
【００４６】
【図１】本発明の一実施形態の水栓を設置状態で示す図である。
【図２】図１の水栓の切替操作部とその周辺部を示す要部拡大図である。
【図３】図１の水栓の内部構造を示す図である。
【図４】図３の吐水管の先端部の内部構造を拡大して示す図である。
【図５】図３及び図４の緊急遮断弁とその周辺部を拡大して示す図である。
【図６】図３の吐水管を各部材に分解して示す図である。
【図７】図３〜図６の緊急遮断弁と周辺部を更に拡大して示す斜視図である。
【図８】図７の緊急遮断弁の要部の斜視図である。
【図９】従来のビルトインタイプの浄水装置をキャビネット内に設置した状態で示す図である。
【図１０】従来公知の浄水機能付水栓の要部を一部切り欠いて示す図である。
【符号の説明】
【００４７】
１０  浄水機能付水栓
４２  浄化カートリッジ
５１  緊急遮断弁
５５  弁体
５９  弁軸
６１  邪魔板
６５  弁座
７１  切欠部
１０４  突出部
【図１】
2006214131.tif 000003
【図２】
2006214131.tif 000004
【図３】
2006214131.tif 000005
【図４】
2006214131.tif 000006
【図５】
2006214131.tif 000007
【図６】
2006214131.tif 000008
【図７】
2006214131.tif 000009
【図８】
2006214131.tif 000010
【図９】
2006214131.tif 000011
【図１０】
2006214131.tif 000012